(57)【特許請求の範囲】
【請求項１】
上下端部が閉塞された円筒状の密閉袋体内に収納された放射性廃棄物の放射能濃度を測定するための放射能測定装置であって、
側面が長方形状をなす箱状の支持枠と、この支持枠内に長手方向に間隔をおいて設けられた複数の取付部と、互いの検出部を一の上記側面側に向けて各々の上記取付部に設置された放射能検出器と、この放射能検出器の上記検出部側に当該検出部を覆って設けられた放射線の遮蔽部材からなる円筒状のコリメータと、上記放射能検出器により検出された検出信号から上記放射性廃棄物における上記放射能濃度を演算する演算手段とを備えてなり、かつ上記支持枠は、その上記側面が上記一の側面を除いて放射線を遮蔽する遮蔽部材により覆われることにより第１の遮蔽体を形成しているとともに、上記第１の遮蔽体の長手方向の一端部側に、放射線を遮蔽する遮蔽部材により有底箱状に形成され、かつ開口部が上記第１の遮蔽体の上記一の側面側に配置された第２の遮蔽体が当該第１の遮蔽体の長手方向に対して垂直に設けられているとともに、上記第２の遮蔽体内に、１つ以上の上記放射能検出器がその検出部を上記開口部側に向けて設置されていることを特徴とする放射能測定装置。
【請求項２】
上記演算手段は、上記放射能検出器により検出された検出信号を基にエネルギー別にカウントする多重波高分析装置と、放射能核種別ごとにピークを演算するピーク演算装置と、放射能濃度を演算する放射能演算装置とを備えていることを特徴とする請求項１に記載の放射能測定装置。
【請求項３】
上下端部が閉塞された円筒状の密閉袋体内に収納された放射性廃棄物の放射能濃度を、請求項１または２に記載の放射能測定装置を用いて上記密閉袋体の外方から測定するための放射能測定方法であって、
上記放射能測定装置を、上記支持枠の長手方向を上記密閉袋体の軸線方向に沿わせるとともに上記放射能検出器の上記検出部を上記密閉袋体の外周面に臨ませて配置した後に、上記密閉袋体を上記軸線周りに回転させつつ、上記放射能検出器により上記放射性廃棄物から放出される放射線を上記密閉袋体の円周方向に沿って検出し、検出した信号および上記密閉袋体の重量から、上記演算手段によって上記円周方向に沿う放射線量を積算して上記重量で除算することにより上記放射能濃度を算出することを特徴とする放射能測定方法。
【発明の詳細な説明】
【技術分野】
【０００１】
本発明は、フレキシブルコンテナバッグなどの円筒状の密閉袋体に収納された放射性廃棄物の放射能量を測定する放射能測定装置および放射能測定方法に関するものである。
【背景技術】
【０００２】
一般に、放射能災害によって生じた放射性廃棄物を保管している地域においては、この放射性廃棄物の放射能量を測定し、その結果により通常の廃棄物として処分することが可能なのか、また放射能廃棄物として保管しなければならないのかを判断する必要がある。
【０００３】
とくに、東日本大震災以降、上記放射能災害廃棄物が、フレキシブルコンテナバッグなどの密閉袋体に収納され大量に存在しているが、放射能量に応じた分別作業が進まずに、一時保管場所などに放置されているのが現状である。
【０００４】
そのため、放射性廃棄物の放射能量の測定精度も重要であるが、放射能量の測定が行われずに、大量に放置されている現状を考えると、大量に存在する放射性廃棄物を迅速に測定し、放射能量に応じて仕分け処理のスピードを上げることが、次の対策のためにも必要になってきている。
【０００５】
ところで、従来、放射性廃棄物の放射能量を測定する装置としては、下記特許文献１において、溶融したガラスと放射性廃棄物の混合物がキャニスターに注入されて成るガラス固化体を検査する検査装置であって、前記ガラス固化体を垂立支持する回転自在な回転支持部材と、前記回転支持部材を回転駆動する回転駆動手段と、前記回転支持部材へのガラス固化体の載置空間に隣接して立設された検知手段支持柱部材と、前記支持柱部材に所定間隔で配設された複数の検知手段とを備え、前記回転支持部材にガラス固化体を載置し、前記回転支持部材を前記回転駆動手段によって回転させて、前記検知手段によって前記ガラス固化体の周方向全域を検知し得るように構成されているガラス固化体の検査装置が提案されている。
【０００６】
上記従来の検査装置は、溶融したガラスと放射性廃棄物とを混合したガラス固化体を回転支持部材に載置した後に、このガラス固化体の軸線方向に複数配設された検査手段によって、当該回転支持部材を回転させながら円周方向に沿って検査を行うものである。
【０００７】
しかしながら、上記従来の検査装置は、建屋内に設けられた検査室で行うため、この建屋内に上記ガラス固化体を運搬する必要があるとともに、運搬された上記ガラス固化体を上記回転支持部材に載置する必要があるため、手間が掛かり迅速に測定することが難しいという問題がある。また、上記検査装置が設置された上記建屋が、放射能災害地域や一時保管場所と離れていた場合、運搬コストも嵩むという問題もある。
【０００８】
また、放射性核種分析による放射能量の測定を行う場合、測定器などの周囲から受けるバックグランド放射能の影響を排除する必要があるため、上記測定器は鉛や鉄を材料とする重厚な遮蔽体で遮蔽することになる。しかし、この重厚な遮蔽体が放射性核種のオンサイト分析を行う場合の障害となってしまい、放射能廃棄物が大量に保管された場所での測定および仕分け作業が難しいという問題もある。
【先行技術文献】
【特許文献】
【０００９】
【特許文献１】特開２０００−２３５１００号公報
【発明の概要】
【発明が解決しようとする課題】
【００１０】
本発明は、かかる事情に鑑みてなされたもので、放射性廃棄物が収納された密閉袋体を保管している場所において、迅速にかつ周囲の環境に影響されることなく放射能量を測定することが可能な放射能測定装置および放射能測定方法を提供することを課題とするものである。
【課題を解決するための手段】
【００１１】
上記課題を解決するために、請求項１に記載の発明は、上下端部が閉塞された円筒状の密閉袋体内に収納された放射性廃棄物の放射能濃度を測定するための放射能測定装置であって、側面が長方形状をなす箱状の支持枠と、この支持枠内に長手方向に間隔をおいて設けられた複数の取付部と、互いの検出部を一の上記側面側に向けて各々の上記取付部に設置された放射能検出器と、この放射能検出器の上記検出部側に当該検出部を覆って設けられた放射線の遮蔽部材からなる円筒状のコリメータと、上記放射能検出器により検出された検出信号から上記放射性廃棄物における上記放射能濃度を演算する演算手段とを備えてなり、かつ上記支持枠は、その上記側面が上記一の側面を除いて放射線を遮蔽する遮蔽部材により覆われることにより第１の遮蔽体を形成しているとともに、上記第１の遮蔽体の長手方向の一端部側に、放射線を遮蔽する遮蔽部材により有底箱状に形成され、かつ開口部が上記第１の遮蔽体の上記一の側面側に配置された第２の遮蔽体が当該第１の遮蔽体の長手方向に対して垂直に設けられているとともに、上記第２の遮蔽体内に、１つ以上の上記放射能検出器がその検出部を上記開口部側に向けて設置されていることを特徴とするものである。
【００１４】
また、請求項２に記載の発明は、請求項１に記載の発明において、上記演算手段は、上記放射能検出器により検出された検出信号を基にエネルギー別にカウントする多重波高分析装置と、放射能核種別ごとにピークを演算するピーク演算装置と、放射能濃度を演算する放射能演算装置とを備えていることを特徴とするものである。
【００１５】
次いで、請求項３に記載の発明は、上下端部が閉塞された円筒状の密閉袋体内に収納された放射性廃棄物の放射能濃度を、請求項１または２に記載の放射能測定装置を用いて上記密閉袋体の外方から測定するための放射能測定方法であって、上記放射能測定装置を、上記支持枠の長手方向を上記密閉袋体の軸線方向に沿わせるとともに上記放射能検出器の上記検出部を上記密閉袋体の外周面に臨ませて配置した後に、上記密閉袋体を上記軸線周りに回転させつつ、上記放射能検出器により上記放射性廃棄物から放出される放射線を上記密閉袋体の円周方向に沿って検出し、検出した信号および上記密閉袋体の重量から、上記演算手段によって上記円周方向に沿う放射線量を積算して上記重量で除算することにより上記放射能濃度を算出することを特徴とすることを特徴とするものである。
【発明の効果】
【００１６】
請求項１〜３のいずれかに記載の本発明によれば、支持枠の長手方向に配置された複数の放射能検出器を、密閉袋体の軸線方向に配置するとともに、これら放射能検出器の検出部を遮蔽部材からなる円筒状のコリメータで覆っているために、上記コリメータによって上記密閉袋体に収納された放射性廃棄物から放出される放射線（γ線）の内、斜め方向から入射する放射線を遮蔽することができる。
【００１７】
この結果、周囲の放射線量が高くない地域においては、装置全体としての放射能の遮蔽性能を簡略化させることができる。
また、高放射線地域で上記測定を行う場合には、上記支持枠の側面を、上記検出部が配置されている面を除いて放射線を遮蔽する遮蔽部材によって覆って第１の遮蔽体を形成することが好ましい。この場合にも、上記コリメータの効果によって上記遮蔽部材の厚さ寸法を極力小さくして軽量化を図ることが可能になる。
【００１８】
このように、本発明に係る放射能測定装置によれば、斜め方向から入射する放射線やバックグランド放射能の影響を受けることなく、放射能濃度の測定精度を向上させることができる。これにより、上記放射性廃棄物が収納された上記密閉袋体が多数保管されている場所であっても、また、放射能により汚染された環境であっても、正確な測定を行うことができる。
【００１９】
さらに、上記第１の遮蔽体の長手方向の一端部側に第２の遮蔽体を垂直に設け、この第２の遮蔽体内に１つ以上の放射能検出器を設置しているために、第２の遮蔽体の放射能検出器を上記密閉袋体の底面部側に臨ませることにより、上記密閉袋体の外周部だけでなく、当該密閉袋体の底面部側の放射線を検出して、放射能量を測定することにより、測定の精度を向上させることができる。
【００２０】
請求項２に記載の発明によれば、上記演算手段を、上記放射能検出器により検出した検出信号からエネルギー別にカウントする多重波高分析装置と、放射能核種別ごとにピークを演算するピーク演算装置と、放射能濃度を演算する放射能演算装置とを備えた構成をしているために、上記放射能検出器によって検出された検出信号を基に、密閉袋体における単位重量当たりの放射能量（Ｂｑ／ｋｇ）、すなわち上記密閉袋体全体の放射能濃度を簡便に算出することができる。
【００２１】
したがって、請求項３に記載の発明によれば、その外周面に放射能検出器を臨ませて、当該密閉袋体を軸線周りに回転させつつ、上記密閉袋体の円周方向に沿って連続的に得られる放射線の検出結果から、演算手段によって放射能核種（セシウム等）のピーク値を積算することにより上記放射性廃棄物の放射能量を算出し、これを上記放射性廃棄物の重量で除算することにより、単位重量あたりの放射能量（Ｂｑ／ｋｇ）、すなわち上記密閉袋体内における放射性廃棄物の平均化された放射能濃度を容易に得ることができる。
【００２２】
この際に、上記密閉袋体を軸線周りに回転させることにより、当該密閉袋体内に乱雑に収納された上記放射性廃棄物がある程度整頓されるため、上記密閉袋体の形態を整えることができる。これにより、上記密閉袋体の外周面に放射能検出器の検出部に臨ませる前に、当該密閉袋体を回転させることによって、上記放射能検出器の検出部と、回転する上記密閉袋体との距離を一定にして、測定精度を向上させることができる。
【００２３】
この結果、上記放射性廃棄物が収納された上記密閉袋体が複数保管された場所などの放射能汚染地域においても、バックグランド放射能の影響を受けることなく、容易に、かつ高い精度で上記放射性廃棄物の放射能濃度を測定することができる。これにより、屋外などで、上記放射性廃棄物が一般廃棄物として処理し得るものであるか、あるいは放射性廃棄物として処理すべきものであるかを、オンサイト解析によって行うことができる。
【００２４】
加えて、密閉袋体を軸線周りに回転させつつ、上記密閉袋体の円周方向に沿って連続的に放射性廃棄物から放出される放射線を検出しているために、演算手段によって得られた放射能核種（セシウム等）のピーク値から、上記密閉袋体内において高い放射線量の放射性廃棄物が点在あるいは偏在している場合にも、その値や位置を正確に把握することが可能になる。
【図面の簡単な説明】
【００２５】
【図１】吊したフレキシブルコンテナバッグの放射能量を測定するための本発明の放射能測定装置の第１の実施形態を示す概略構成図である。
【図２】図１の放射能測定装置を示す正面図である。
【図３】図２の平面図である。
【図４】本発明の放射能測定装置の第２の実施形態を示す概略構成図である。
【図５】図４の放射能測定装置を示す平面断面図である。
【図６】図４の放射能測定装置に設けられた放射能検出器の縦断面図である。
【図７】フレキシブルコンテナバッグの外周面の位置と放射能量の関係を示すグラフである。
【図８】放射能検出器の検出結果と周辺放射能との関係を示す図表である。
【発明を実施するための形態】
【００２６】
（第１の実施形態）
図１〜図３は、放射性廃棄物を収納したフレキシブルコンテナバッグｔの放射能濃度を測定するための本発明の放射能測定装置の第１の実施形態を示すものである。
これらの図において、この放射能測定装置２０は、支持枠２１と、この支持枠内に互いの検出部５ａを一の側面側に向けて設置された放射能検出器５と、この放射能検出器の先端の検出部５ａ外周に設けられたコリメータ６と、放射能検出器５により検出された検出信号から上記放射性廃棄物における放射能濃度を演算する演算手段７から概略構成されたものである。ちなみに、フレキシブルコンテナバッグｔは、高さ１ｍ、直径１ｍ程度のフレキシブルコンテナバッグｔである。
【００２７】
ここで、支持枠２１は、等辺アングル鋼材によって側面が長方形状をなす箱状に形成されたもので、一側面２１ａを除いて、他の側面は薄肉鋼板２２によって覆われている。また、支持枠２１の内部には、長手方向（使用形態では高さ方向）に等間隔をおいて３つの取付部２３が設けられており、各々の取付部２３に放射能検出器５がそれぞれの検出部５ａを上記一側面２１ａ側に向けて設置されている。そして、この一側面２１ａには、検出部５ａを保護するための透明なアクリル板２４が取り付けられている。
【００２８】
さらに、放射能検出器５の検出部５ａの外周に、当該検出部５ａを覆うコリメータ６が設けられている。このコリメータ６は、鉛等の放射線を遮蔽する遮蔽部材により円筒状に形成されたもので、図３に示すように、放射能検出器５の検出部５ａ側に一部が挿通され、かつ検出部５ａ側から軸線方向外方に突出して嵌合されている。そして、放射能検出器５は、ケーブルにより各々が演算手段７に接続されている。
【００２９】
この演算手段７は、エネルギー別にカウント数を測定する多重波高分析装置（ＭＣＡ）８と、放射能核種別に分けてピークを演算するピーク演算装置９と、放射能濃度を演算する放射能演算装置１０と、モニターなどの出力装置１１とを備えている。
【００３０】
次に、以上の構成による放射能測定装置２０を用いて、例えば、フレキシブルコンテナバッグｔに収納された放射性廃棄物の放射能濃度を測定するための本発明に係る放射能測定方法の一実施形態に付いて説明する。
【００３１】
先ず、クレーン装置を備えたトラック等の車両によって、放射性廃棄物を収納したフレキシブルコンテナバッグｔが保管されている場所に、放射能測定装置２０および演算手段７を運び込む。ここで、このクレーン装置は、フレキシブルコンテナバッグｔを吊すフック１４と、このフック１４に接続されたワイヤー１５と、このワイヤー１５に設けられた回転措置１２および重量測定装置１３とを備えている。
【００３２】
この回転装置１２は、フック１４に吊したフレキシブルコンテナバッグｔを軸線周りに回転させるためのものである。また、重量測定装置１３は、フック１４に吊したフレキシブルコンテナバッグｔの重量を測定するためのものであり、上記トラック自体に重量測定機能付きクレーン装置が装備されている場合には、クレーン装置自体に重量測定装置が内蔵されていて重量が確認可能であるために不要である。
【００３３】
次いで、上記クレーン装置によって搬送した放射能測定装置２０および演算手段７を測定場所に降ろして設置した後に、フック１４によって保管場所に保管されているフレキシブルコンテナバグｔの一つを吊り上げる。このときに、上記クレーン装置に設けられた重量測定装置１３等により、当該フレキシブルコンテナバッグｔの重量を計測する。
【００３４】
なお、フレキシブルコンテナバッグｔに上記放射性廃棄物が乱雑に収納されて、当該フレキシブルコンテナバッグｔの形態が歪になっていた場合には、予め、吊した状態で上記クレーン装置に設けられた回転装置１２を作動させて、フレキシブルコンテナバッグｔを軸線周りに回転させることにより、当該フレキシブルコンテナバッグｔの形態を整える。
【００３５】
次いで、上記クレーン装置によりフレキシブルコンテナバッグｔを移動させて放射能測定装置２０に臨ませ、放射能検出器５の検出部５ａがフレキシブルコンテナバッグｔの外周面に対向する位置に設置する。
【００３６】
次に、上記クレーン装置に設けられた回転装置１２を作動させて、フレキシブルコンテナバッグｔを軸線周りに回転させる。そして、このフレキシブルコンテナバッグｔの回転に伴って、支持枠２１に設置されている３つの放射能検出器５により、フレキシブルコンテナバッグｔに収納された放射性廃棄物から放出される放射線（γ線）を円周方向に沿って連続的に検出する。
【００３７】
その際、各々の放射能検出器５の検出部５ａは、当該検出部５ａの外周を覆う遮蔽部材からなるコリメータ６によって、フレキシブルコンテナバッグｔに収納された放射性廃棄物から径方向に直線的に放出される放射線のみを検出する。
【００３８】
これにより、各々の放射能検出器５で検出した信号が、演算手段７に送信される。
そして、演算手段７では、まず、上記検出信号が多重波高分析装置８に送信され、エネルギー別にカウント数が測定される。
【００３９】
次に、多重波高分析装置８のデータを基に、ピーク演算装置９においてピークが演算され、その結果、放射能核種別ごとに放射能演算装置１０により放射能の濃度が計算される。具体的には、各放射能検出器５毎に計測されたピークを円周方向に連続的に積算することにより、放射性廃棄物全体の放射能量を算出し、得られた放射能量をフレキシブルコンテナバッグｔの重量で除算することにより、単位重量（例えば、１ｋｇ）あたりの放射能量、すなわち放射線濃度を算出して、モニターやプリンターなどの出力装置１１により出力する。
【００４０】
このように、保管されている複数のフレキシブルコンテナバッグｔの各々の放射能濃度を計測して、その結果から、一般の廃棄物と共に廃棄処分可能か、また放射性廃棄物として一定期間保管するかを判断して仕分ける。
【００４１】
以上説明したように、上記構成からなる放射能測定装置２０によれば、支持枠２１の長手方向に配置された３つの放射能検出器５の検出部５ａを、それぞれ遮蔽部材からなる円筒状のコリメータ６で覆っているために、当該コリメータ６によってフレキシブルコンテナバッグｔに収納された放射性廃棄物から放出される放射線の内、斜め方向から入射する放射線を遮蔽することができる。
【００４２】
この結果、周囲の放射線量が高くない地域においては、装置全体としての放射能の遮蔽性能を簡略化させることができ、よって支持枠２１の軽量化を図ることができる。また、これにより、放射性廃棄物が収納されたフレキシブルコンテナバッグｔが、多数保管されている場所であっても、放射線量が中程度以下の地域であれば、容易に所望とする誤差範囲内の測定を行うことができる。
【００４３】
また、演算手段７を、放射能検出器５により検出した検出信号からエネルギー別にカウントする多重波高分析装置８と、この多重波高分析装置８のデジタルデータを基にピークを演算するピーク演算装置９と、このピーク演算装置９において得られた所定の放射能核種別のピークを円周方向に連続的に積算することにより、放射性廃棄物全体の放射能量を算出し、得られた放射能量をフレキシブルコンテナバッグｔの重量で除算することにより、放射能濃度を算出する放射能演算装置１０によって構成しているために、放射能検出器５によって検出された検出信号を基に、フレキシブルコンテナバッグｔにおける単位重量当たりの放射能量（Ｂｑ／ｋｇ）、すなわち上記密閉袋体全体の放射能濃度を簡便に算出することができる。
【００４４】
したがって、上記放射能測定装置２０を用いた放射能測定方法によれば、フレキシブルコンテナバッグｔをクレーン等のワイヤー１５によって吊るし、その外周面に放射能検出器２０に臨ませて、回転装置１２によってフレキシブルコンテナバッグｔを軸線周りに回転させつつ、放射能検出器５によりフレキシブルコンテナバッグｔの円周方向に沿って連続的に得られる放射線を検出し、演算手段７によってフレキシブルコンテナバッグｔ内における放射性廃棄物の平均化された放射能濃度を容易に得ることができる。
【００４５】
しかも、吊したフレキシブルコンテナバッグｔを軸線周りに回転させることにより、フレキシブルコンテナバッグｔ内に乱雑に収納された放射性廃棄物がある程度整頓されるため、フレキシブルコンテナバッグｔの形態を整えることができる。これにより、放射能検出器５の検出部５ａと、回転するフレキシブルコンテナバッグｔとの距離を一定にして、測定精度を向上させることができる。
【００４６】
この結果、放射性廃棄物が収納されたフレキシブルコンテナバッグｔが複数保管された場所などの放射能汚染地域においても、バックグランド放射能の影響を受けることなく、容易に、かつ高い精度で上記放射性廃棄物の放射能濃度を測定することができる。これにより、屋外などで、上記放射性廃棄物が一般廃棄物として処理し得るものであるか、あるいは放射性廃棄物として処理すべきものであるかを、オンサイト解析によって行うことができる。
【００４７】
加えて、フレキシブルコンテナバッグｔを軸線周りに回転させつつ、フレキシブルコンテナバッグｔの円周方向に沿って連続的に放射性廃棄物から放出される放射線を検出しているために、演算手段によって得られた放射能核種（セシウム等）のピーク値から、フレキシブルコンテナバッグｔ内において高い放射線量の放射性廃棄物が点在あるいは偏在している場合にも、その値や位置を正確に把握することが可能になる。
【００４８】
（第２の実施形態）
図４〜図６は、本発明の放射能測定装置の第２の実施形態を示すもので、図１〜図３に示したものと同一構成部分に付いては、同一符号を付してその説明を簡略化する。
本実施形態の放射能測定装置１は、有底箱状の遮蔽体２と、この遮蔽体２に配置された複数（図では４つ）の放射能検出器５と、この放射能検出器５の検出部５ａ側に設けられたコリメータ６と、放射能検出器５からの検出信号を演算する演算手段７とから概略構成されている。
【００４９】
ここで、遮蔽体２は、第１の実施形態における支持枠２１の外面に一の側面２１ａ（開口部３）を除いて鉛等の放射線を遮蔽する遮蔽部材を設けた第１の遮蔽体３と、この第１の遮蔽体３の長手方向の一端部側に、鉛等の放射線を遮蔽する遮蔽部材により有底箱状に形成され、かつ開口部４ａが第１の遮蔽体３の開口部３ａ側に配置された第２の遮蔽体４とを備えたものであり、第２の遮蔽体４は、第１の遮蔽体３の長手方向に対して垂直に配置され一体に設けられている。
【００５０】
以上の構成からなる放射能測定装置１においては、フレキシブルコンテナバッグｔ内の放射性廃棄物の放射性濃度を測定するに際して、遮蔽体２を、第１の遮蔽体３の３つの放射能検出器５がフレキシブルコンテナバッグｔの外周面に対向して軸線方向に沿って配置され、第２の遮蔽体４内の放射能検出器５が、フレキシブルコンテナバッグｔの底部に対向して配置されるように設置されて用いられる。
【００５１】
そして、この放射能測定装置１によっても、第１の実施形態に示したものと同様の作用効果が得られるとともに、さらに、上記支持枠の側面を、上記検出部が配置されている面を除いて放射線を遮蔽する遮蔽部材によって覆って第１の遮蔽体としているために、高放射線地域において上記測定を行う場合にも、バックグランド放射能の影響を受けることなく、所望とする誤差範囲内において放射性廃棄物の放射能濃度を測定することができる。
【００５２】
また、放射能検出器５の検出部５ａを覆うコリメータ６を用いているために、遮蔽体２を形成するための遮蔽部材の厚さ寸法を極力小さくして軽量化を図ることもできる。加えて、第２の遮蔽体４の放射能検出器５をフレキシブルコンテナバッグｔの底面部側に臨ませることにより、フレキシブルコンテナバッグｔの外周部だけでなく底面部側の放射線を検出して、放射能量を測定することにより、測定の精度を向上させることができる。
【実施例】
【００５３】
放射能検出器５の検出部５ａをコリメータ６によって覆うことにより、測定精度が向上することを実証するために、以下の実験を行った。
先ず、この実験では、直径が１ｍのフレキシブルコンテナバッグｔを用意して、この中に放射性物質を収納するとともに、この際に、表面側の一部の場所に他の場所よりも１０倍程度の濃度の放射能物質が偏在した状態になるように収納した。そして、放射能検出器５として、図３および図６に示すような検出部５ａ側に鉛製の円筒状のコリメータ６を設けたものとを用意した。
【００５４】
そして、フレキシブルコンテナバッグｔを吊した状態のまま軸線周りに一回転させつつ、コリメータ６を設けた放射能検出器５により、当該フレキシブルコンテナバッグｔの円周方向に沿って放射線を検出して演算手段７によって放射能濃度を算出し、次いで比較例として、放射能検出器５の検出部５ａ側にコリメータ６を取り付けずに、同様にフレキシブルコンテナバッグｔを吊した状態のまま軸線周りに一回転させるとともに、放射能検出器５により、当該フレキシブルコンテナバッグｔの円周方向に沿って放射線を検出し、演算手段７によって放射能濃度を算出した。
【００５５】
図７は、その結果を示すものであり、縦軸が放射能濃度を示し、横軸が高濃度放射能の中心から、それぞれ半回転した位置をラジアンで示している。また、太い実線は、コリメータ６で遮蔽した場合の検出信号を多重波高分析装置８、ピーク演算装置９および放射能演算装置１０で算出した放射能量を示し、細かい破線は、太い実線の放射能量を平均化した放射能量を示す。一方、細い実線は、コリメータ６で遮蔽しない場合の検出信号を多重波高分析装置８、ピーク演算装置９および放射能演算装置１０で算出した放射能量を示し、粗い破線は、細い実線の放射能量を平均化した放射能量を示す。
【００５６】
この図７のグラフでは、細い実線で示す、斜め方向から入射する放射線を遮蔽しない場合の放射能量が、高濃度箇所付近において見かけ上濃度が高くなっている。このため、全周に亘る放射能量を平均した場合、斜め方向から入射する放射線を遮蔽した放射能量の平均に対して、２倍程度の濃度を示してしまう。
【００５７】
これは、本発明の実施例においては、コリメータ６を設けて斜め方向から入射する放射線を遮蔽することにより、測定対象放射能物質が検出器の直前位置にある場合のみ正しく測定し、周囲に散乱した放射線を見かけの放射能として誤って計測しなくなるからである。なお、この場合の全周に亘る放射能量の平均の大きさを示すことにより、この平均が全放射能量の平均を示すことになる。
【００５８】
さらに、図７のグラフから、フレキシブルコンテナバッグｔの側面部の一箇所のみ測定した場合には、測定する場所によっては、最大１０倍程度の放射能濃度が異なった値になることが分かる。したがって、フレキシブルコンテナバッグｔを軸線周りに回転させて、全周に亘り測定することが、測定精度の向上に必要であることが実証された。
【００５９】
次いで、放射能検出器５の検出部５ａを、肉厚寸法が２０ｍｍの鉛製のコリメータ６によって覆うことを前提にして、フレキシブルコンテナバッグｔ内に収納された放射性廃棄物の放射能濃度を測定するに際して、周囲の放射線量の高さが測定結果に与える誤差（比率）の程度を検証した。
【００６０】
図８は、その条件および結果を示すものであり、検出器と周辺放射能の距離とは、上記放射能検出器５が設置されている位置と、周囲の放射線量に影響を与える対象物との間の距離を示すものである。また、この種の放射能濃度の検出作業では、バックグランド誤差は概ね１０％未満を想定する。
【００６１】
図８に見られるように、高線量地域においは、上記コリメータ６に加えて、放射能検出器５の全体を図４〜図６に示した第２の実施形態のように支持枠の外周面および底面を鉛シート（遮蔽部材）で覆った遮蔽体２内に配置することにより、確実に上記放射能濃度の検出誤差を１０％未満にすることができることが判る。また、遮蔽体２が無い場合においても、当該放射線量に影響を与える対象物からの距離を５ｍ以上とすることにより、上記誤差を１０％未満にすることが可能になる。
【００６２】
これに対して、中線量地域においては、遮蔽体２を設けることなく、図１〜図３に示した第１の実施形態の放射線測定装置によっても、上記誤差を１０％以下にすることができることが判る。
【００６３】
なお、上記第２の実施形態においては、放射能検出器５を遮蔽体２の第１の遮蔽体３および第２の遮蔽体４に設けて、フレキシブルコンテナバッグｔの側面側および底面側部の放射能量を測定する場合のみ説明したが、これに限定されるものでなく、例えば、遮蔽体２の第１の遮蔽体３のみ放射能検出器５を設けて、フレキシブルコンテナバッグｔの側面側のみ放射能量を測定しても対応可能である。
【００６４】
また、本発明に係る放射能測定装置は、上述したフレキシブルコンテナバッグｔをクレーン装置等によって吊した状態で軸線回りに回転させつつ、円周方向に連続的に放射線を測定する方法の他、例えばフレキシブルコンテナバッグｔを一旦ターンテーブル上に載置して、当該ターンテーブルを回転させつつ、円周方向に連続的に放射線を測定する方法にも用いることが可能である。
【産業上の利用可能性】
【００６５】
放射性廃棄物を収納したフレキシブルコンテナバッグなどが保管されている場所で利用することができる。
【符号の説明】
【００６６】
１、２０  放射能測定装置
２  遮蔽体
３  第１の遮蔽体
３ａ  開口部
４  第２の遮蔽体
４ａ  開口部
５  放射能検出器
５ａ  検出部
６  コリメータ
７  演算手段
８  多重波高分析装置
９  ピーク演算装置
１０  放射能演算装置
１１  出力装置
１２  回転装置
１３  重量測定装置
２１  支持枠
２１ａ  一の側面
２３  取付部
ｔ  フレキシブルコンテナバッグ（密閉袋体）
【図１】
0005900556.tif 000002
【図２】
0005900556.tif 000003
【図３】
0005900556.tif 000004
【図４】
0005900556.tif 000005
【図５】
0005900556.tif 000006
【図６】
0005900556.tif 000007
【図７】
0005900556.tif 000008
【図８】
0005900556.tif 000009